(57)【要約】【課題】単票が開きサイズ単票であっても、媒体の種別を確実に判定し、適切に幅寄せ動作を行うことができるようにする。【解決手段】媒体搬送路２３における通帳の下ページに対応する位置に配設された第１の光透過量測定センサ２４と、前記媒体搬送路２３における通帳の上ページに対応する位置に配設された第２の光透過量測定センサ２５とを有し、前記第１の光透過量測定センサ２４と第２の光透過量測定センサ２５との測定レベルの差に応じて媒体２２の種別を判定する。【選択図】　　　　　図１
2004070675.tif 000002
【特許請求の範囲】
【請求項１】
（ａ）媒体搬送路における通帳の下ページに対応する位置に配設された第１の光透過量測定センサと、
（ｂ）前記媒体搬送路における通帳の上ページに対応する位置に配設された第２の光透過量測定センサとを有し、
（ｃ）前記第１の光透過量測定センサと第２の光透過量測定センサとの測定レベルの差に応じて媒体の種別を判定することを特徴とする記帳機。
【請求項２】
前記第１の光透過量測定センサ及び第２の光透過量測定センサは、媒体位置検出用センサの設定を変更したものである請求項１に記載の記帳機。
【請求項３】
（ａ）媒体搬送路における側壁に、媒体の厚さ方向に関して異なる位置に配設された複数の対向センサを有し、
（ｂ）該対向センサのセンサ状態に応じて前記媒体の種別を判定することを特徴とする記帳機。
【請求項４】
（ａ）媒体挿入口に配設された媒体厚測定センサを有し、
（ｂ）媒体が前記媒体挿入口に挿入された時に前記媒体厚測定センサのセンサ状態に応じて前記媒体の種別を判定することを特徴とする記帳機。
【請求項５】
（ａ）媒体の幅寄せ動作を行う装置を有し、
（ｂ）前記媒体を傷付けることがないような幅寄せ動作を行い、該幅寄せ動作の結果によって前記媒体の種別を判定することを特徴とする記帳機。
【請求項６】
磁気読取装置を有し、前記媒体の磁気ストライプの有無を検出して、前記媒体の種別を判定した結果と照合する請求項１〜５のいずれか１項に記載の記帳機。
【請求項７】
（ａ）媒体搬送路における通帳の下ページに対応する位置と前記媒体搬送路における通帳の上ページに対応する位置との光透過量を測定し、（ｂ）該光透過量の測定レベルの差に応じて媒体の種別を判定することを特徴とする媒体種別判定方法。
【請求項８】
媒体位置検出用センサの設定を変更して光透過量を測定する請求項７に記載の媒体種別判定方法。
【請求項９】
媒体搬送路における側壁に、媒体の厚さ方向に関して異なる位置に配設された複数の対向センサのセンサ状態に応じて、前記媒体の種別を判定することを特徴とする媒体種別判定方法。
【請求項１０】
媒体挿入口に配設された媒体厚測定センサのセンサ状態に応じて前記媒体の種別を判定することを特徴とする媒体種別判定方法。
【請求項１１】
媒体を傷付けることがないような幅寄せ動作を行い、該幅寄せ動作の結果によって前記媒体の種別を判定することを特徴とする媒体種別判定方法。
【請求項１２】
前記媒体の磁気ストライプの有無を検出して、前記媒体の種別を判定した結果と照合する請求項７〜１１のいずれか１項に記載の媒体種別判定方法。
【発明の詳細な説明】
【０００１】
【発明の属する技術分野】
本発明は、記帳機及び媒体種別判定方法に関するものである。
【０００２】
【従来の技術】
従来、銀行、信用金庫等の金融機関においては、預金通帳等の通帳に記帳するために通帳記帳機等の記帳機が使用されている。該記帳機においては、媒体としての通帳の所定の位置に印字して記帳するために、挿入口から記帳機に挿入された通帳を搬送路の一側端やガイドに押し付けて幅寄せを行うようになっている。これにより、前記搬送路の一側端やガイドを基準位置として、搬送路の幅方向に関する通帳の位置決めを行うことができるので、通帳の所定の位置に印字して正確に記帳することができる。
【０００３】
ところで、記帳機における媒体には通帳の他に単票も含まれる。ここで、該単票とは、一枚の紙等からなる媒体であり、金融取引の明細が記入された顧客用の取引明細票として使用されたり、金融機関内部における業務用に使用される媒体である。通常、前記単票は、閉じた状態の通帳と同一のサイズを有している。そして、前記記帳機においては、媒体が単票である場合にも、通帳の場合と同様に、所定の位置に印字して記帳するために、挿入口から記帳機に挿入された単票を搬送路の一側端やガイドに押し付けて幅寄せを行うようになっている。
【０００４】
しかし、通帳は、多数枚の紙等を重ねた冊子なので、比較的強い力で搬送路の一側端やガイドに押し付けても通帳を傷付けることはないが、単票は一枚の紙等からなるので、搬送路の一側端やガイドに押し付ける力が強い場合、単票が変形したり傷付いてしまう。そのため、媒体が通帳であるか単票であるかを判定して、媒体を搬送路の一側端やガイドに押し付ける力を調整して媒体が傷付かないようにする必要がある。
【０００５】
この場合、前記単票は、閉じた状態の通帳と同一のサイズである、すなわち、閉じサイズ単票であるので、媒体の長さを検出し、媒体が通帳であるか単票であるかを判定して、それぞれに最適な幅寄せ動作を行うようになっている。なお、媒体の長さは、該媒体を搬送させ、搬送路に配設された光学センサの受光素子を媒体が遮っている時間を計測することによって算出するようになっている。
【０００６】
図２は従来の通帳と単票との判定基準を示す図である。
【０００７】
図において１１ａは媒体１１としての単票であり、１１ｂは媒体１１としての通帳である。ここで、前記単票１１ａは閉じサイズ単票であり、通帳１１ｂは開いた状態となっている。また、Ｌ１は搬送方向に関する前記単票１１ａの長さであり、Ｌ２は搬送方向に関する前記通帳１１ｂの長さである。なお、１１ｂ−１は、通帳１１ｂの搬送方向に関する長さの中心を示す中心線である。そして、Ｌｓは媒体１１が通帳１１ｂであるか単票１１ａであるかを判定するための閾（しきい）値（判定スライス）である。この場合、単票は、次の式（１）で表される。
Ｌ１＜Ｌｓ・・・式（１）
通帳は、次の式（２）で表される。
Ｌ２＞Ｌｓ・・・（２）
そして、発光素子と受光素子とを有する光学センサによって測定した媒体１１の長さが前記閾値Ｌｓよりも短いか長いかによって、前記媒体１１が単票１１ａか通帳１１ｂかが判定される。そして、前記媒体１１が単票１１ａであると判定されると、媒体１１を搬送路の一側端やガイドに押し付ける力を弱くして、媒体１１の幅寄せ動作を行い、前記媒体１１が通帳１１ｂであると判定されると、媒体１１を搬送路の一側端やガイドに押し付ける力を強くして、媒体１１の幅寄せ動作を行う。なお、媒体１１の幅寄せ動作は、挿入された媒体１１を搬送路の一側端、ガイド等の基準面に押し付けて、媒体１１の斜行を修正し、かつ、媒体１１の搬送路における幅方向の位置を修正する動作である。
【０００８】
次に、光学センサの回路について説明する。
【０００９】
図３は従来の光学センサ回路の構成を示す図、図４は従来のセンサの遮光状態と受光センサレベルデータとの関係を示す図である。
【００１０】
図３において、受光レベル調整データ１２は、受光レベル調整回路１３に入力された受光素子としての受光トランジスタＴｒ１の受光レベルに対する増幅率である。そして、受光レベル調整回路１３からの出力レベルが一定範囲内となるように、ファームウェア等によって前記受光レベル調整データ１２の最適値が設定されている。また、発光電流調整データ１５は、発光電流調整回路１６が発光素子としての発光ＬＥＤ（Ｌｉｇｈｔ　Ｅｍｉｔｔｉｎｇ　Ｄｉｏｄｅ）１４に流す発光電流を調整するための設定値である。そして、前記発光電流調整データ１５をファームウェア等で調整することによって、発光ＬＥＤ１４に流す発光電流を変化させることができるようになっている。
【００１１】
また、受光レベル調整回路１３からの出力は、Ａ／Ｄコンバータ１７によって、受光センサレベルデータ１８にＡ／Ｄ変換され、ファームウェア等によりデータとして読み取り可能になっている。
【００１２】
そして、発光ＬＥＤ１４と受光トランジスタＴｒ１の間に遮光物がなく、受光素子としての受光トランジスタＴｒ１が遮られていない状態の時、光学センサはオフとする。すなわち、受光トランジスタＴｒ１が発光ＬＥＤ１４からの光を受光し、受光センサレベルデータ１８が閾値以上である場合、光学センサの位置に媒体１１が存在しないとして、光学センサはオフであるとする。また、発光ＬＥＤ１４と受光トランジスタＴｒ１の間に遮光物があり、受光素子としての受光トランジスタＴｒ１が遮られている状態の時、光学センサはオンとする。すなわち、受光トランジスタＴｒ１が発光ＬＥＤ１４からの光を受光せず、受光センサレベルデータ１８が閾値以下である場合、光学センサの位置に媒体１１が存在するとして、光学センサはオンであるとする。
【００１３】
なお、前記閾値が適切な数値となるように、受光センサレベルデータ１８を読み取りながら、発光電流調整データ１５及び受光レベル調整データ１２を書き換えることによって、前記発光電流調整データ１５及び受光レベル調整データ１２をあらかじめ調整する。
【００１４】
そして、媒体１１の位置と光学センサのオン−オフとの関係が図４に示される。図４（ａ）〜（ｃ）は、光学センサに対する媒体１１の位置を示し、図４（ｄ）は対応する受光センサレベルデータ１８の変化を示すグラフである。
【００１５】
ここで、媒体１１が記帳機の挿入口から挿入され、媒体１１の搬送路に配設された光学センサに到達していない時は、図４（ａ）に示されるように、発光ＬＥＤ１４と受光トランジスタＴｒ１の間に媒体１１が存在せず、受光トランジスタＴｒ１が遮光されないので、受光センサレベルデータ１８が閾値よりも高い数値であり、光学センサはオフである。続いて、前記媒体１１が搬送されると、図４（ｂ）に示されるように、発光ＬＥＤ１４と受光トランジスタＴｒ１の間に媒体１１が進入し始め、受光トランジスタＴｒ１が徐々に遮光され、受光センサレベルデータ１８が低下する。そして、前記媒体１１がさらに搬送されると、図４（ｃ）に示されるように、発光ＬＥＤ１４と受光トランジスタＴｒ１の間に媒体１１が進入し、受光トランジスタＴｒ１が遮光され、受光センサレベルデータ１８が閾値よりも低い数値となり、光学センサはオンとなる。
【００１６】
このように、光学センサのオンとオフとの２値化された情報によって媒体１１が光学センサの位置に存在することを検出し、媒体１１が光学センサの位置に存在する時間と、媒体１１の搬送速度とに基づいて、媒体１１の搬送方向に関する長さを算出し、媒体１１が単票１１ａであるか通帳１１ｂであるかを判定して幅寄せ動作を行っている。
【００１７】
【発明が解決しようとする課題】
しかしながら、前記従来の記帳機においては、媒体１１の搬送方向に関する長さによって、媒体１１が単票１１ａであるか通帳１１ｂであるかを判定するようになっている。そのため、単票１１ａが開いた状態の通帳と同一のサイズである場合、すなわち、開きサイズ単票である場合に、適切に判定することができなくなってしまう。
【００１８】
近年、記帳機の保守等のために開きサイズの単票１１ａが使用されるようになってきた。この場合、開きサイズの単票１１ａの搬送方向に関する長さが通帳の１１ｂの搬送方向に関する長さと等しいので、前記従来の記帳機は開きサイズの単票１１ａを通帳１１ｂと判定して、幅寄せ動作を行ってしまう。そのため、比較的強い力で搬送路の一側端やガイドに押し付けられるので、開きサイズの単票１１ａが変形したり傷付いたりしてしまう。
【００１９】
もっとも、単票１１ａと通帳１１ｂとでは厚さが異なるので、単票１１ａと通帳１１ｂとを透過して受光トランジスタＴｒ１に到達する光透過量を測定することによって、媒体１１が単票１１ａであるか通帳１１ｂであるかを判定することも考えられる。しかしながら、通帳１１ｂの表紙の厚さと単票１１ａの厚さとの間には大きな差がない。そのため、表紙だけを開いた状態で通帳１１ｂが記帳機に挿入された場合、通帳１１ｂの表紙の光透過量と単票１１ａの光透過量との差を測定して、媒体１１が単票１１ａであるか通帳１１ｂであるかを判定することは困難である。
【００２０】
本発明は、前記従来の問題点を解決して、単票が開きサイズ単票であっても、媒体の種別を確実に判定し、適切に幅寄せ動作を行うことができる記帳機及び媒体種別判定方法を提供することを目的とする。
【００２１】
【課題を解決するための手段】
そのために、本発明の記帳機においては、媒体搬送路における通帳の下ページに対応する位置に配設された第１の光透過量測定センサと、前記媒体搬送路における通帳の上ページに対応する位置に配設された第２の光透過量測定センサとを有し、前記第１の光透過量測定センサと第２の光透過量測定センサとの測定レベルの差に応じて媒体の種別を判定する。
【００２２】
本発明の他の記帳機においては、さらに、前記第１の光透過量測定センサ及び第２の光透過量測定センサは、媒体位置検出用センサの設定を変更したものである。
【００２３】
本発明の更に他の記帳機においては、媒体搬送路における側壁に、媒体の厚さ方向に関して異なる位置に配設された複数の対向センサを有し、該対向センサのセンサ状態に応じて前記媒体の種別を判定する。
【００２４】
本発明の更に他の記帳機においては、媒体挿入口に配設された媒体厚測定センサを有し、媒体が前記媒体挿入口に挿入された時に前記媒体厚測定センサのセンサ状態に応じて前記媒体の種別を判定する。
【００２５】
本発明の更に他の記帳機においては、媒体の幅寄せ動作を行う装置を有し、前記媒体を傷付けることがないような幅寄せ動作を行い、該幅寄せ動作の結果によって前記媒体の種別を判定する。
【００２６】
本発明の更に他の記帳機においては、さらに、磁気読取装置を有し、前記媒体の磁気ストライプの有無を検出して、前記媒体の種別を判定した結果と照合する。
【００２７】
本発明の媒体種別判定方法においては、媒体搬送路における通帳の下ページに対応する位置と前記媒体搬送路における通帳の上ページに対応する位置との光透過量を測定し、該光透過量の測定レベルの差に応じて媒体の種別を判定する。
【００２８】
本発明の他の媒体種別判定方法においては、さらに、媒体位置検出用センサの設定を変更して光透過量を測定する。
【００２９】
本発明の更に他の媒体種別判定方法においては、媒体搬送路における側壁に、媒体の厚さ方向に関して異なる位置に配設された複数の対向センサのセンサ状態に応じて、前記媒体の種別を判定する。
【００３０】
本発明の更に他の媒体種別判定方法においては、媒体挿入口に配設された媒体厚測定センサのセンサ状態に応じて前記媒体の種別を判定する。
【００３１】
本発明の更に他の媒体種別判定方法においては、媒体を傷付けることがないような幅寄せ動作を行い、該幅寄せ動作の結果によって前記媒体の種別を判定する。
【００３２】
本発明の更に他の媒体種別判定方法においては、さらに、前記媒体の磁気ストライプの有無を検出して、前記媒体の種別を判定した結果と照合する。
【００３３】
【発明の実施の形態】
以下、本発明の実施の形態について図面を参照しながら詳細に説明する。
【００３４】
図１は本発明の第１の実施の形態における記帳機の挿入媒体判定部の概略図である。
【００３５】
図において、２１は記帳機の媒体挿入口、２３は前記記帳機における媒体搬送路、２２は前記媒体挿入口２１から挿入された媒体である。ここで、前記記帳機は、銀行、信用金庫等の金融機関において、預金通帳等の通帳に記帳するための通帳記帳機である。なお、前記記帳機は、通帳記帳機として独立して構成されたものであってもよいし、ＡＴＭ（Ａｕｔｏｍａｔｉｃ　Ｔｅｌｌｅｒ　Ｍａｃｈｉｎｅ：現金自動預払機）、ＣＤ（Ｃａｓｈ　Ｄｉｓｐｅｎｓｅｒ：現金自動支払機）等の自動取引装置のような他の装置の一部として構成されたものであってもよい。
【００３６】
本実施の形態において、媒体２２とは記帳機によって印字される対象である。また、媒体２２の種別には、預金通帳等の通帳、及び、金融取引の明細が記入された顧客用の取引明細票として使用されたり、金融機関内部での業務用に使用されたり、記帳機の保守等のために使用される単票がある。ここでは、多数枚の紙等を重ねた冊子状になっている媒体を通帳と呼び、一枚の紙等からなる媒体であり通帳を閉じたサイズのものを閉じサイズ単票と呼び、一枚の紙等からなる媒体であって通帳を開いたサイズのものを開きサイズ単票と呼ぶ。
【００３７】
なお、図に示される媒体２２は、通帳を開いたサイズの媒体であり、２２ａは媒体２２の搬送方向に関する長さの中心を示す中心線である。また、前記媒体搬送路２３には、媒体２２の光透過量を測定するセンサとしての第１の光透過量測定センサ２４及び第２の光透過量測定センサ２５が配設される。図は、媒体挿入口２１から媒体搬送路２３への媒体２２の挿入が完了した直後の状態を示しており、この状態において、第１の光透過量測定センサ２４は、搬送方向に関して、媒体２２の媒体挿入口２１側半分（通帳の下ページ）の中心付近となるように配設され、第２の光透過量測定センサ２５は、搬送方向に関して、前記媒体２２の残り半分（通帳の上ページ）の中心付近となるように配設される。
【００３８】
ここで、前記媒体搬送路２３には、媒体２２の位置を検出するために「従来の技術」において説明した従来の光学センサが配設されている。すなわち、本実施の形態における記帳機には、従来の光学センサに加えて、第１の光透過量測定センサ２４及び第２の光透過量測定センサ２５が追加されている。また、前記第１の光透過量測定センサ２４及び第２の光透過量測定センサ２５の回路は「従来の技術」において説明した図３に示される回路と同様であるので、前記第１の光透過量測定センサ２４及び第２の光透過量測定センサ２５の構成及び動作については、「従来の技術」における光学センサについての説明を援用する。
【００３９】
なお、本実施の形態においては、媒体２２が通帳であるか単票であるかの判定、すなわち、媒体種別の判定を、第１の光透過量測定センサ２４及び第２の光透過量測定センサ２５が光透過量の差を検出することによって行う。この場合、発光ＬＥＤ１４と受光トランジスタＴｒ１の間に進入した媒体２２を透過して受光トランジスタＴｒ１に到達する光透過量を測定し、前記媒体２２の厚さによって受光センサレベルデータ１８に差が出るように、発光電流調整データ１５及び受光レベル調整データ１２をあらかじめ調整する。そのため、第１の光透過量測定センサ２４及び第２の光透過量測定センサ２５は、媒体２２の有無を検出するためには使用することができない。
【００４０】
次に、前記構成の記帳機の媒体種別を判定する動作について説明する。
【００４１】
まず、媒体挿入口２１から通帳開きサイズの媒体２２が挿入された後、第１の光透過量測定センサ２４及び第２の光透過量測定センサ２５の受光センサレベルデータ１８をそれぞれ測定する。
【００４２】
そして、第１の光透過量測定センサ２４の受光センサレベルデータ１８をＡ１とし、第２の光透過量測定センサ２５の受光センサレベルデータ１８をＢ１とした場合、Ａ１とＢ１とがほぼ同等、かつ、一定以上のレベルの時に媒体２２の種別は単票である判定する。また、その他の時は媒体２２の種別は通帳であると判定する。そして、前記媒体２２の種別に応じた媒体２２の幅寄せ動作を行う。すなわち、媒体種別が通帳であるか単票であるかを判定して、媒体２２を媒体搬送路２３の一側端やガイドに押し付ける力を調整して媒体２２が傷付かないようにする。なお、該媒体２２の幅寄せ動作は、「従来の技術」において説明した動作と同様であるので、「従来の技術」における説明を援用する。
【００４３】
このように、本実施の形態においては、媒体２２における通帳の上ページと下ページとの光透過量を測定することによって、確実に通帳と単票との違いを検出することができる、すなわち、媒体種別が通帳であるか単票であるかを判定することができる。
【００４４】
例えば、媒体２２が通帳であり、上ページ又は下ページが厚さの薄い表紙だけであると、第１の光透過量測定センサ２４又は第２の光透過量測定センサ２５のいずれかの受光センサレベルデータ１８が高くなってしまう。しかし、このような場合でも、媒体２２が通帳であれば中紙（両側の表紙の間に存在する媒体）があることから、もう一方の光透過量測定センサの受光センサレベルデータ１８は低くなっている。そのため、通帳であることを確実に判定することができる。したがって、挿入された媒体２２が通帳開きサイズ媒体２２であっても、媒体種別が単票であることを確実に判定することができる。
【００４５】
また、挿入される媒体２２毎にセンサのプログラムを切り替える場合と比較して、処理速度を高くすることができる。
【００４６】
次に、本発明の第２の実施の形態について説明する。なお、第１の実施の形態と同じ構造を有するものについては、同じ符号を付与することによってその説明を省略する。
【００４７】
図５は本発明の第２の実施の形態における記帳機の挿入媒体判定部の概略図である。
【００４８】
本実施の形態においては、用途に合わせてセンサのプログラムを変更することによって、媒体搬送路２３における媒体２２の位置を検出するための光学センサを使用して媒体種別を判定するようになっている。
【００４９】
この場合、媒体搬送路２３には、図５に示されるように、前記第１の実施の形態のおける第１の光透過量測定センサ２４及び第２の光透過量測定センサ２５に代えて、第１の媒体位置検出用センサ３４及び第２の媒体位置検出用センサ３５がそれぞれ配設される。ここで、前記第１の媒体位置検出用センサ３４及び第２の媒体位置検出用センサ３５の構成は、「従来の技術」において説明した光学センサと同様のものであるので、「従来の技術」における説明を援用する。
【００５０】
そして、前記第１の媒体位置検出用センサ３４及び第２の媒体位置検出用センサ３５を媒体搬送路２３における媒体２２の位置を検出するために使用する場合、「従来の技術」において説明した光学センサと同様に、発光ＬＥＤ１４からの光が媒体２２を透過しないように、発光電流調整データ１５を低めに設定して発光ＬＥＤ１４の発光量を抑えた設定値、すなわち、媒体位置検出用の設定値とする。
【００５１】
また、前記第１の媒体位置検出用センサ３４及び第２の媒体位置検出用センサ３５を光透過量を測定することによって媒体２２の種別を判定するために使用する場合、発光電流調整データ１５を高めに設定し、発光ＬＥＤ１４の発光量を増やす等して、光が媒体２２をある程度透過するような設定値、すなわち、光透過量測定用の設定値とする。そして、光透過量を測定して媒体２２の種別を判定した後は、発光電流調整データ１５の設定値を媒体位置検出用の設定値に戻し、「従来の技術」において説明したような動作を行わせる。すなわち、第１の媒体位置検出用センサ３４及び第２の媒体位置検出用センサ３５は、媒体２２の位置を検出するためのセンサ及び媒体２２の種別を判定ためのセンサとして兼用される。
【００５２】
次に、本実施の形態における記帳機の動作について説明する。
【００５３】
まず、媒体挿入口２１から通帳開きサイズの媒体２２が挿入され、搬送されている時、第１の媒体位置検出用センサ３４及び第２の媒体位置検出用センサ３５は媒体位置検出用の設定値によって制御される。そして、媒体２２が停止した後に、光透過量測定用の設定値に変更され、第１の媒体位置検出用センサ３４及び第２の媒体位置検出用センサ３５の受光センサレベルデータ１８を測定する。なお、前記媒体２２の停止は、該媒体２２を搬送するための図示されない搬送用モータの停止によって検出される。
【００５４】
そして、第１の媒体位置検出用センサ３４の受光センサレベルデータ１８をＡ１とし、第２の媒体位置検出用センサ３５の受光センサレベルデータ１８をＢ１とした場合、Ａ１とＢ１とがほぼ同等、かつ、一定以上のレベルの時に媒体２２の種別は単票である判定する。また、その他の時は媒体２２の種別は通帳であると判定する。そして、前記媒体２２の種別に応じた媒体の幅寄せ動作を行う。
【００５５】
このように、本実施の形態においては、同一のセンサの設定値を用途に応じて切り替えて使用することによって、媒体種別が通帳であるか単票であるかを確実に判定することができる。そのため、媒体種別を判定するためのセンサを別途追加する必要がないので、記帳機のコストを低くすることができる。
【００５６】
次に、本発明の第３の実施の形態について説明する。なお、第１及び第２の実施の形態と同じ構造を有するものについては、同じ符号を付与することによってその説明を省略する。
【００５７】
図６は本発明の第３の実施の形態における記帳機の挿入媒体判定部の概略図である。
【００５８】
本実施の形態においては、媒体２２の種別を判定する方法として、媒体搬送路２３における媒体２２を横方向から検出する光学センサを配設するようになっている。
【００５９】
この場合、図６に示されるように、媒体挿入口２１付近の媒体搬送路２３における側壁には、通帳開きサイズ媒体２２を横方向から検出する複数（例えば、５個）の対向センサ４４ａ〜４４ｅから成る媒体厚検出センサ群４４が配設されている。ここで、対向センサ４４ａ〜４４ｅは、それぞれ、媒体２２の厚さ方向に関して異なる位置に配設されている。なお、それぞれの対向センサ４４ａ〜４４ｅの構成は「従来の技術」において説明した光学センサと同様のものであるので、「従来の技術」における説明を援用する。
【００６０】
次に、本実施の形態における記帳機の動作について説明する。
【００６１】
まず、媒体挿入口２１から通帳開きサイズの媒体２２が挿入され、媒体搬送路２３上を搬送されると、媒体厚検出センサ群４４のセンサ状態が一定周期（例えば、１〔ｍｓ〕程度）でサンプリングする。この場合、媒体２２の長さと搬送速度との関係から、媒体２２のサイズが通帳開きサイズであると、一つの媒体２２が対向センサ４４ａ〜４４ｅのそれぞれを通過する際に、該対向センサ４４ａ〜４４ｅのセンサ状態が１０回サンプリングされるものと想定する。
【００６２】
そして、媒体２２が単票である場合、厚さが薄いので、オンになるのは媒体２２の厚さ方向に関して一番低い位置に配設された対向センサ４４ａだけである。そのため、１０回のサンプリングによるオンになるセンサ数は１０個となる。
【００６３】
また、媒体２２が通帳である場合は、媒体２２の厚さはページによって異なる。例えば、通帳の１ページ目を開いて挿入した場合、上ページは表紙部分であり厚さが薄いので、オンになるのは前記対向センサ４４ａだけである。一方、下ページは中紙があるので厚さがあり、対向センサ４４ａ〜４４ｄがオンになるものと想定する。そのため、１０回のサンプリング中、上ページ分の５回のサンプリングにおけるセンサのオン数は５個となり、下ページ分の５回のサンプリングにおけるセンサのオン数は２０個となる。したがって、通帳１ページ目挿入時のセンサのオン数は合計で２５個となる。
【００６４】
このように、媒体厚検出センサ群４４の対向センサ４４ａ〜４４ｅのセンサ状態を複数回サンプリングし、センサのオン数の差に基づいて、媒体２２の種別が通帳であるか単票あるかを判定することができる。
【００６５】
このように、本実施の形態においては、媒体２２の搬送中に種別の判定を行うことができるので、媒体２２の処理時間に影響を与えることがない。
【００６６】
次に、本発明の第４の実施の形態について説明する。なお、第１〜第３の実施の形態と同じ構造を有するものについては、同じ符号を付与することによってその説明を省略する。
【００６７】
図７は本発明の第４の実施の形態における記帳機の挿入媒体判定部の概略図である。
【００６８】
本実施の形態においては、媒体２２の種別を判定する方法として、媒体搬送路２３における媒体２２の厚さを検出するセンサを媒体挿入口２１に配設するようになっている。この場合、図７に示されるように、媒体挿入口２１に光透過量媒体厚測定センサ５０を配設する。該光透過量媒体厚測定センサ５０は、媒体厚検出センサ５１、第１のプレート５２、第２のプレート５３、レバー５４、及び遮光板５５によって構成される。なお、媒体厚検出センサ５１の構成は「従来の技術」において説明した光学センサと同様のものであるので、「従来の技術」における説明を援用する。前記第１のプレート５２は固定され、第２のプレート５３は、ばね５８等による一定の押圧力を受けて第１のプレート５２に押し付けられ、媒体挿入口２１を閉じた状態になっている。
【００６９】
そして、媒体２２が挿入されると、第２のプレート５３は媒体２２によって押し上げられる。第２のプレート５３の動きは、レバー５４によって増幅され、該レバー５４に取り付けられた遮光板５５が媒体厚検出センサ５１の光軸を遮ることによって、媒体厚検出センサ５１はオンとなる。なお、該媒体厚検出センサ５１がオンになる媒体２２の厚さは、レバー５４の支点５６の位置をずらすことによって調整することができる。
【００７０】
次に、本実施の形態における記帳機の動作について説明する。
【００７１】
まず、媒体挿入口２１から第１のプレート５２と第２のプレート５３との間に媒体２２が挿入されると、第２のプレート５３が媒体２２の厚さ分だけ押し上げられる。この場合、単票の厚さでは媒体厚検出センサ５１はオンにならないが、通帳の表紙の厚さでは媒体厚検出センサ５１がオンになるように、あらかじめ支点５６の位置を変えて調整しておく。
【００７２】
そして、媒体厚検出センサ５１がオンにならなかった場合には媒体２２は単票であると判定し、媒体厚検出センサ５１がオンになった場合には媒体２２は通帳であると判定する。そして、前記媒体２２の種別に応じた媒体の幅寄せ動作を行う。
【００７３】
このように、本実施の形態においては、光透過量媒体厚測定センサ５０のセンサ状態に応じて、媒体２２の搬送を開始する前に媒体種別が通帳であるか単票であるかを確実に判定することができるので、媒体種別によって搬送速度を変える場合、より細やかな制御を行うことができる。また、媒体２２の厚さを機械的に増幅するようになっているので、該媒体２２の厚さの検出精度を向上させることができる。
【００７４】
次に、本発明の第５の実施の形態について説明する。なお、第１〜第４の実施の形態と同じ構造を有するものについては、同じ符号を付与することによってその説明を省略する。
【００７５】
本実施の形態において、記帳機は、図示されない媒体２２の幅寄せ動作を行う装置のパラメータを、まず、媒体２２の種別が単票である場合に応じたものに設定し、媒体２２の幅寄せ動作を行う。前記パラメータは、媒体２２を媒体搬送路２３の一側端やガイドに押し付ける力を調整するためのパラメータであり、例えば、図示されない押付用部材のストロークである。この場合、該押付用部材には、媒体２２に接触する部材がばねを介して取り付けられているので、押付用部材のストロークを調整することによって、ばねの変形量を調整して、媒体２２を押し付ける力を調整することができる。このように、媒体２２を媒体搬送路２３の一側端やガイドに押し付ける力を弱くして幅寄せ動作を行うので、媒体２２が単票であっても傷付くことがない。
【００７６】
続いて、媒体２２のスキューチェックを行い、媒体２２が斜めか否かを判定して該媒体２２が正常に幅寄せされたか否かをチェックする。ここで、媒体２２の幅寄せ動作は、挿入された媒体２２を媒体搬送路２３の一側端、ガイド等の基準面に押し付けて、媒体２２の斜行を修正し、かつ、媒体搬送路２３における幅方向の位置を修正する動作である。そのため、幅寄せ動作が適切に行われた場合には、媒体２２は斜めになっていない、すなわち、斜行が修正されている。
【００７７】
そして、本実施の形態においては、まず、媒体２２を媒体搬送路２３の一側端やガイドに押し付ける力を弱くして幅寄せ動作を行うので、媒体２２が単票であれば、斜行が修正されている。また、媒体２２が通帳であれば、押し付ける力が弱いので、斜行が修正されていない可能性がある。
【００７８】
そこで、スキューチェックの結果、斜行が修正されていて、問題がない場合は、幅寄せ動作は正常に行われたとして終了される。また、スキューチェックにおいて問題があった場合は、媒体２２は通帳であると判定される。そして、媒体２２の種別が通帳である場合に応じた幅寄せ動作のパラメータを設定し、媒体２２の幅寄せ動作を再度行う。
【００７９】
このように、本実施の形態においては、最初に媒体２２の種別が単票である場合に応じた幅寄せ動作のパラメータを設定して幅寄せ動作を行うことによって、媒体２２を傷付けてしまうことがない。
【００８０】
次に、本発明の第６の実施の形態について説明する。なお、第１〜第５の実施の形態と同じ構造を有するものについては、同じ符号を付与することによってその説明を省略する。
【００８１】
本実施の形態において、記帳機は、前記第１〜第５の実施の形態において説明したような幅寄せ動作が終了した後、図示されない磁気読取装置としての磁気ヘッドによって磁気ストライプの読み取り動作を行う。ここで、磁気ストライプの読み取りを行うことができた場合、媒体２２は、磁気ストライプを備えているので、通帳であると判定する。また、磁気ストライプの読み取りを行うことができない場合、媒体２２は、磁気ストライプを備えていないので、単票であると判定する。そして、このよな種別判定の結果を、前記第１〜第５の実施の形態において説明したような媒体２２の種別判定の結果と照合して確認する。
【００８２】
このように、本実施の形態においては、格別の構成を必要とすることなく、前記第１〜第５の実施の形態における媒体２２の種別判定の精度を高くすることができる。
【００８３】
なお、本発明は前記実施の形態に限定されるものではなく、本発明の趣旨に基づいて種々変形させることが可能であり、それらを本発明の範囲から排除するものではない。
【００８４】
【発明の効果】
以上詳細に説明したように、本発明によれば、媒体の種別を確実に判定し、適切に幅寄せ動作を行うことができる。
【図面の簡単な説明】
【図１】本発明の第１の実施の形態における記帳機の挿入媒体判定部の概略図である。
【図２】従来の通帳と単票との判定基準を示す図である。
【図３】従来の光学センサ回路の構成を示す図である。
【図４】従来のセンサの遮光状態と受光センサレベルデータとの関係を示す図である。
【図５】本発明の第２の実施の形態における記帳機の挿入媒体判定部の概略図である。
【図６】本発明の第３の実施の形態における記帳機の挿入媒体判定部の概略図である。
【図７】本発明の第４の実施の形態における記帳機の挿入媒体判定部の概略図である。
【符号の説明】
２１　　媒体挿入口
２２　　媒体
２３　　媒体搬送路
２４　　第１の光透過量測定センサ
２５　　第２の光透過量測定センサ
３４　　第１の媒体位置検出用センサ
３５　　第２の媒体位置検出用センサ
４４ａ、４４ｂ、４４ｃ、４４ｄ、４４ｅ　　対向センサ
５０　　媒体厚測定センサ
【図１】
2004070675.tif 000003
【図２】
2004070675.tif 000004
【図３】
2004070675.tif 000005
【図４】
2004070675.tif 000006
【図５】
2004070675.tif 000007
【図６】
2004070675.tif 000008
【図７】
2004070675.tif 000009